(57)【要約】【課題】コンセントにプラグを接続する際の作業性を向上させた床配線装置用のプレート部材及びそれを用いた床配線装置を提供する。【解決手段】扉７１は、１辺に沿って設けられた軸部１０を介してプレート枠７０に取り付けられ、プレート枠７０の開口部７０１を閉塞する位置と開口部７０１を開放する位置との間で開閉される。また、扉７１は、先端にプラグが設けられたコードをボックス２内に引き込むための通線チップ７２と、扉７１による開口部７０１の閉塞状態を解除するための開閉ボタン７３とを有する。通線チップ７２は、扉７１において軸部１０が設けられた１辺に隣接する１辺であって、且つ軸部１０が設けられた１辺側から見て右側の１辺の縁部に設けられている。開閉ボタン７３は、扉７１において軸部１０が設けられた１辺と対向する１辺から離れた位置に設けられている。【選択図】図１
2015154546.tif 000002
【特許請求の範囲】
【請求項１】
厚み方向に貫通する矩形の貫通孔を有し、床に設けられた開口部と前記貫通孔とがつながり、且つ前記開口部の端縁部分に下面が接触した状態で、前記床に埋め込まれたボックスに固定されるプレート枠と、
１辺に沿って設けられた軸部を介して前記プレート枠に取り付けられ、前記貫通孔を閉塞する位置と前記貫通孔を開放する位置との間で開閉される矩形の扉とを備え、
前記扉は、先端にプラグが設けられたコードを前記ボックス内に引き込むための通線チップと、前記扉による前記貫通孔の閉塞状態を解除するための解除ボタンとを有し、
前記通線チップは、前記扉において前記軸部が設けられた１辺に隣接する１辺であって、且つ前記軸部が設けられた１辺側から見て右側の１辺の縁部に設けられ、
前記解除ボタンは、前記扉において前記軸部が設けられた１辺と対向する１辺から離れた位置に設けられていることを特徴とする床配線装置用のプレート部材。
【請求項２】
請求項１記載の床配線装置用のプレート部材と、
前記ボックスと、
前記プラグが着脱自在に差し込まれるコンセントを有し、前記ボックス内に収納され且つ前記ボックスに固定されるコンセントブロックとを備えていることを特徴とする床配線装置。
【発明の詳細な説明】
【技術分野】
【０００１】
本発明は、床配線装置用のプレート部材及びそれを用いた床配線装置に関するものである。
【背景技術】
【０００２】
従来、床に埋込配設される床配線装置が提供されている（例えば特許文献１参照）。特許文献１に記載された床配線装置は、床に埋め込まれるボックスと、ボックスに取り付けられるカバーと、ボックスに収容されるコンセントと、床に敷設されるプレート部材とを備える。
【０００３】
プレート部材は、開口部を有する円板状に形成されており、開口部を閉塞する位置と開口部を開放する位置との間で開閉される蓋部と、プレート部材の外縁部分に設けられ、且つ蓋部による上記開口部の閉塞状態を解除するためのレバーとを有している。また、蓋部は、先端にプラグが設けられたコードをボックス内に引き込むための通線チップを有している。
【０００４】
そして、蓋部は、レバーと反対側に開くようにプレート部材に取り付けられており、また通線チップは、蓋部の開閉方向と交差する方向で且つレバー側から見て右側に開くように蓋部に取り付けられている。
【先行技術文献】
【特許文献】
【０００５】
【特許文献１】特開平６−２０５５２６号公報
【発明の概要】
【発明が解決しようとする課題】
【０００６】
上述の特許文献１に示した床配線装置では、プレート部材の外縁部分にレバーが設けられているため、コンセントにプラグを接続しようとした場合、多くの使用者はレバーの正面に立つことになる。そしてこの場合、ボックスが床下の深い位置に埋め込まれていると、プラグを保持した右手を床下の深い位置まで入れなければならず、その際右手が蓋部に触れることで作業しにくい場合があった。
【０００７】
本発明は上記問題点に鑑みて為されたものであり、コンセントにプラグを接続する際の作業性を向上させた床配線装置用のプレート部材及びそれを用いた床配線装置を提供することを目的とする。
【課題を解決するための手段】
【０００８】
本発明の床配線装置用のプレート部材は、厚み方向に貫通する矩形の貫通孔を有し、床に設けられた開口部と前記貫通孔とがつながり、且つ前記開口部の端縁部分に下面が接触した状態で、前記床に埋め込まれたボックスに固定されるプレート枠と、１辺に沿って設けられた軸部を介して前記プレート枠に取り付けられ、前記貫通孔を閉塞する位置と前記貫通孔を開放する位置との間で開閉される矩形の扉とを備え、前記扉は、先端にプラグが設けられたコードを前記ボックス内に引き込むための通線チップと、前記扉による前記貫通孔の閉塞状態を解除するための解除ボタンとを有し、前記通線チップは、前記扉において前記軸部が設けられた１辺に隣接する１辺であって、且つ前記軸部が設けられた１辺側から見て右側の１辺の縁部に設けられ、前記解除ボタンは、前記扉において前記軸部が設けられた１辺と対向する１辺から離れた位置に設けられていることを特徴とする。
【０００９】
本発明の床配線装置は、上記床配線装置用のプレート部材と、前記ボックスと、前記プラグが着脱自在に差し込まれるコンセントを有し、前記ボックス内に収納され且つ前記ボックスに固定されるコンセントブロックとを備えていることを特徴とする。
【発明の効果】
【００１０】
本発明の構成によれば、解除ボタンよりも外側に通線チップが設けられているため、コンセントにプラグを接続する際には通線チップの正面に使用者を誘導することができ、この状態では扉は左側に開くことになる。そのため、右手でプラグを接続する場合には、ボックスが床下の深い位置に配置されていたとしても、右手が扉に触れにくくなっており、作業性が低下するのを抑えることができるという効果がある。
【図面の簡単な説明】
【００１１】
【図１】本実施形態の床配線装置を示し、（ａ）は上面図、（ｂ）は側面図である。
【図２】同上の分解斜視図である。
【図３】同上の設置状態を示す断面図である。
【図４】（ａ）〜（ｃ）は同上の動作を説明する説明図である。
【発明を実施するための形態】
【００１２】
以下に、床配線装置の実施形態について図１〜図４を参照しながら説明する。
【００１３】
本実施形態の床配線装置１は、図３に示すように、コンクリート製の床１００に埋込配設され、ボックス２内に収納された電源コンセント４０にプラグ９０（図４（ａ）参照）を差し込むことで、プラグ９０が接続された電気機器（図示せず）に給電する。なお、以下の説明では特に断りが無い限り、図２において上下、前後、左右の各方向を規定する。つまり、扉７１を回転可能に支持する軸部１０の軸方向が前後方向となる。
【００１４】
図２は本実施形態の床配線装置１の分解斜視図である。この床配線装置１は、ボックス２と、埋込カバー３と、コンセントブロック４と、調整板５，６と、フロアプレート７とを備える。
【００１５】
ボックス２は、金属材料により上面が開口する矩形箱状に形成されており、前後方向における２つの側面には、埋込カバー３を取り付けるための取付片２０２，２０２がそれぞれ設けられている。また、各取付片２０２には、埋込カバー３をボックス２に取り付けるための取付ねじ１１がねじ込まれるねじ孔２０２ａが設けられている。
【００１６】
ボックス２の底面には、接地線１８をボックス２に取り付けるための取付ねじ１２がねじ込まれるねじ孔２０３が設けられている。また、ボックス２の前側（図３中の左側）の側面には電線管１１０が取り付けられている。
【００１７】
埋込カバー３は、金属材料により左右方向に長い矩形枠状に形成された本体部３０を有し、本体部３０の中央には左右方向に長い矩形の開口部３０１が設けられている。また、本体部３０の四隅には、調整板６の高さ位置を調整するための調整ねじ１４がねじ込まれるねじ孔３０５がそれぞれ設けられている。さらに、本体部３０においてボックス２の各ねじ孔２０２ａに対応する位置には、取付ねじ１１が挿通される挿通孔３０４がそれぞれ設けられている。
【００１８】
また、開口部３０１の前後方向における開口端縁には、上向きに突出し且つ先端側が外向き（開口部３０１と反対側の向き）に折り曲げられた取付片３０２，３０３がそれぞれ設けられている。取付片３０２には、コンセントブロック４を埋込カバー３に取り付けるための取付ねじ１３がねじ込まれるねじ孔３０２ａが設けられ、さらに取付片３０３には、同様に、取付ねじ１３がねじ込まれるねじ孔３０３ａが設けられている。
【００１９】
コンセントブロック４は、プラグ９０を差し込むための差込口が横並びに２個設けられた電源コンセント４０（コンセント）と、電源コンセント４０を取り付けるための取付金具４１とで構成される。取付金具４１は、左右方向に長い矩形板状に形成され、且つ前後方向において後端が上側、前端が下側となるように斜めに配置される本体部４１１を有している。本体部４１１の中央には、電源コンセント４０の機能面を露出させるための矩形の開口部４１１ａが設けられている。
【００２０】
また、本体部４１１の後端には、後方に向けて水平に延出する延出部４１２が一体に形成されており、延出部４１２の先端には、取付ねじ１３が挿通される溝４１４ａを有する取付片４１４が設けられている。また、本体部４１１の前端には、斜め上方に延出する延出部４１３が一体に形成されており、延出部４１３の先端には、取付ねじ１３が挿通される溝４１５ａを有する取付片４１５が設けられている。
【００２１】
なお、電源コンセント４０を取付金具４１に取り付けた状態では、図２に示すように、電源コンセント４０の機能面が開口部４１１ａを通して本体部４１１の前面側に露出している。そして、床配線装置１を床１００に設置した状態では、図３に示すように、上記機能面が斜め上方を向くようにしてコンセントブロック４がボックス２内に配置される。
【００２２】
フロアプレート７は、例えばアルミダイキャスト製品であって、プレート枠７０と、扉７１と、通線チップ７２とで構成される。プレート枠７０は、図１及び図２に示すように矩形枠状に形成され、プレート枠７０の中央には矩形の開口部７０１（貫通孔）が設けられている。また、プレート枠７０において開口部７０１の四隅には、取付ねじ１６が挿通される挿通孔７０２がそれぞれ設けられている。
【００２３】
扉７１は、図１及び図２に示すように矩形板状に形成され、扉７１の１辺（図１（ａ）中の上側の１辺）には、左右方向に長い矩形の凹部７１１が設けられている。また、扉７１において凹部７１１の近傍には、扉７１を開閉する際に操作される開閉ボタン７３（解除ボタン）を露出させるための矩形の開口部７１２が設けられている。ここに、扉７１の外形寸法（図１（ａ）中の上下寸法及び左右寸法）は、プレート枠７０の開口部７０１の開口寸法よりもわずかに小さく設定されている。
【００２４】
また、扉７１の下面（裏面）における左端には、軸８が挿通される軸孔７１３０を有し、軸８とともに扉７１を回転可能に支持する円筒状の軸受け７１３，７１３が、前後方向における両端にそれぞれ設けられている。各軸受け７１３の軸孔７１３０は、図１（ｂ）に示すように左右方向に長く、扉７１を開閉させる際に軸８が軸孔７１３０内を移動できるようになっている。これにより、扉７１を開く際に扉７１の左端がプレート枠７０の開口端縁に干渉することなく、図２に示すように扉７１を大きく開くことができる。
【００２５】
そして、この扉７１は、プレート枠７０の開口部７０１を閉塞する位置（図１（ａ）に示す位置）と、開口部７０１を開放する位置（図２に示す位置）との間で開閉される。ここに、本実施形態では、軸８と軸受け７１３とで軸部１０が構成されている。
【００２６】
通線チップ７２は、図１〜図３に示すように、左右方向に長い矩形板状に形成された本体部７２１を有し、本体部７２１の下面には、下向きに延出する複数（本実施形態では３個）の脚部７２２が等間隔且つ横並びに設けられている。また、隣接する脚部７２２間には、コード９を保護するためのブッシュ７４が設けられている。なお、通線チップ７２の本体部７２１の外形寸法（図１（ａ）中の上下寸法及び左右寸法）は、扉７１の凹部７１１の開口寸法よりもわずかに小さく設定されている。
【００２７】
この通線チップ７２は、後側の１辺（図１（ａ）中の下側の１辺）において扉７１に回転可能に支持されており、扉７１の凹部７１１を閉塞する位置（図１（ａ）に示す位置）と、凹部７１１を開放する位置（図３に示す位置）との間で開閉される。
【００２８】
調整板６は、金属材料により矩形枠状に形成された本体部６０を有し、本体部６０の中央には矩形の開口部６０１が設けられている。また、本体部６０の四隅には、調整板６を調整板５に取り付けるための取付ねじ１５が挿通される挿通孔６０２と、フロアプレート７を調整板６に取り付けるための取付ねじ１６がねじ込まれるねじ孔６０３とがそれぞれ設けられている。また、調整板６において扉７１の軸受け７１３，７１３と対向する位置には、軸受け７１３，７１３が当たらないようにするための凹部６０４，６０５が設けられている。
【００２９】
これらの凹部６０４，６０５は、調整板６の一部を下向き（プレート枠７０と反対向き）に凹ませることで形成されており、組み付けた状態で軸受け７１３，７１３を収容できる深さ寸法に設定されている。
【００３０】
調整板５は、調整板６と同様に、金属材料により矩形枠状に形成された本体部５０を有し、本体部５０の中央には矩形の開口部５０１が設けられている。また、本体部５０の四隅には、調整ねじ１４が挿通される挿通孔５０２と、取付ねじ１５がねじ込まれるねじ孔５０３とがそれぞれ設けられている。また、調整板５において調整板６の凹部６０４，６０５と対向する位置には、調整板５の一部を下向き（調整板６と反対向き）に凹ませることで形成された凹部５０４，５０５がそれぞれ設けられている。
【００３１】
ここに、本実施形態では、プレート枠７０と、扉７１と、調整板５，６とでプレート部材が構成されている。
【００３２】
次に、床配線装置１の設置手順について説明する。なお以下では、埋込カバー３が取り付けられたボックス２が、コンクリート製の床１００の所定位置に予め埋め込まれ、さらに電源コンセント４０が取付金具４１に予め取り付けられているものとして説明を行う。
【００３３】
まず最初に、作業者は、電線管１１０を通してボックス２内に引き込まれた電源線（図示せず）を電源コンセント４０の速結端子（図示せず）に接続するとともに、電線管１１０を通してボックス２内に引き込まれた接地線１８をボックス２の底面にねじ固定する。
【００３４】
その後、作業者は、埋込カバー３の開口部３０１を通してコンセントブロック４をボックス２内に収納し、取付ねじ１３を用いてコンセントブロック４を埋込カバー３に取り付ける。このとき、コンセントブロック４は、取付金具４１の本体部４１１の長手方向と、埋込カバー３の開口部３０１の長手方向とが同じ方向（左右方向）となるように配置される。
【００３５】
さらに、作業者は、調整板５の挿通孔５０２に挿通させた調整ねじ１４を埋込カバー３のねじ孔３０５にねじ込む。このとき、作業者は、床１００の上面に敷設される表面材１２０（例えばタイルカーペット）の厚みに応じて調整ねじ１４の高さを調整する。
【００３６】
その後、作業者は、取付ねじ１５を用いて調整板６を調整板５に取り付ける。調整板６を調整板５に取り付けると、調整ねじ１４の頭部が調整板５と調整板６の間に挟まれ、上側の調整板６が、調整ねじ１４のねじ込み量によって決まる高さ位置に保持される。
【００３７】
そして最後に、作業者は、取付ねじ１６を用いてフロアプレート７を調整板６に取り付ける。このとき、軸部１０の軸方向と埋込カバー３の開口部３０１の幅方向とが同じ方向（前後方向）で、且つ通線チップ７２が電線管１１０側（前側）となる向きで、フロアプレート７が調整板６に取り付けられる。以上の手順により、床配線装置１の設置が完了する（図３参照）。
【００３８】
続けて、電源コンセント４０にプラグ９０を接続する手順について図４を参照しながら説明する。まず最初に、使用者は、開閉ボタン７３を開方向（図１（ａ）中の右方向）にスライドさせてフロアプレート７の扉７１を開き、ボックス２内に収納された電源コンセント４０にコード９の先端に設けられたプラグ９０を差し込む（図４（ａ）参照）。
【００３９】
そして、使用者は、扉７１を開いたままで通線チップ７２を開方向へ移動させた後（図４（ｂ）参照）、通線チップ７２を開いたままで扉７１を閉じる（図４（ｃ）参照）。このとき、外部に引き出されたコード９はブッシュ７４によって保護される。
【００４０】
また、電源コンセント４０からプラグ９０を取り外す手順について説明する。まず最初に、使用者は、開閉ボタン７３を開方向にスライドさせてフロアプレート７の扉７１を開き、電源コンセント４０からプラグ９０を取り外す。そして、使用者は、扉７１を開いたままで通線チップ７２を閉方向へ移動させた後、扉７１を閉じる。
【００４１】
このように、床配線装置１を使用しない状態では、通線チップ７２を閉じておくことで、通線チップ７２が邪魔にならない。また、床配線装置１を床１００に設置した状態では、プレート枠７０は開口部１００ａの端縁部分のみで床１００に接触しており、この状態のままプレート枠７０に荷重がかかるとプレート枠７０が変形する虞がある。そのため、本実施形態の床配線装置１では、下側からプレート枠７０を支える機能を調整板５，６に持たせており、これらの調整板５，６によりプレート枠７０の変形を抑えることができる。
【００４２】
ところで、この床配線装置１では、扉７１において軸部１０（軸８及び軸受け７１３）が設けられた１辺（左側の１辺）に隣接する１辺であって、且つ軸部１０が設けられた１辺側（左側）から見て右側（前側）の１辺の縁部に通線チップ７２が設けられている。また、この床配線装置１では、扉７１において軸部１０が設けられた１辺（左側の１辺）と対向する１辺（右側の１辺）から離れた位置に開閉ボタン７３が設けられている。
【００４３】
そのため、電源コンセント４０にプラグ９０を接続する場合には、使用者は通線チップ７２の正面に立つように誘導される。そして、使用者が開閉ボタン７３を操作して扉７１を開いた状態では、使用者から見て左側に軸部１０が位置しているため、扉７１は左側に開かれることになる。したがって、ボックス２が床下の深い位置に配置されていたとしても、電源コンセント４０にプラグ９０を接続する際にプラグ９０を保持する右手が扉７１に接触しにくくなっている。
【００４４】
その結果、上述した従来の床配線装置と比較して、電源コンセント４０にプラグ９０を接続する際に扉７１が邪魔になることがなく、作業性を向上させることができる。
【００４５】
なお、本実施形態では、ボックス２内に収納されるコンセントとして電源コンセント４０を例に説明したが、例えばモジュラーコンセントやＬＡＮコンセントなどであってもよく、本実施形態に限定されない。
【００４６】
本実施形態の床配線装置用のプレート部材は、プレート枠７０と、扉７１とを備える。プレート枠７０は、厚み方向に貫通する矩形の開口部７０１（貫通孔）を有し、床１００に設けられた開口部１００ａと開口部７０１とがつながり、且つ開口部１００ａの端縁部分に下面が接触した状態で、床１００に埋め込まれたボックス２に固定される。扉７１は、矩形板状に形成され、１辺に沿って設けられた軸部１０を介してプレート枠７０に取り付けられ、開口部７０１を閉塞する位置と開口部７０１を開放する位置との間で開閉される。また、扉７１は、先端にプラグ９０が設けられたコード９をボックス２内に引き込むための通線チップ７２と、扉７１による開口部７０１の閉塞状態を解除するための開閉ボタン７３（解除ボタン）とを有する。通線チップ７２は、扉７１において軸部１０が設けられた１辺に隣接する１辺であって、且つ軸部１０が設けられた１辺側から見て右側の１辺の縁部に設けられている。開閉ボタン７３は、扉７１において軸部１０が設けられた１辺と対向する１辺から離れた位置に設けられている。
【００４７】
本実施形態の床配線装置１は、上記床配線装置用のプレート部材と、ボックス２と、コンセントブロック４とを備える。コンセントブロック４は、プラグ９０が着脱自在に差し込まれる電源コンセント４０（コンセント）を有し、ボックス２内に収納され且つボックス２に固定される。
【符号の説明】
【００４８】
２  ボックス
１０  軸部
７０  プレート枠
７１  扉
７２  通線チップ
７３  開閉ボタン（解除ボタン）
７０１  開口部（貫通孔）
【図１】
2015154546.tif 000003
【図２】
2015154546.tif 000004
【図３】
2015154546.tif 000005
【図４】
2015154546.tif 000006